(57)【要約】【課題】  主画像の固定長化にかかる時間を短縮すると共に圧縮の工程を減少する。【解決手段】  シャッタレリーズボタンを押下に伴い撮像手段により画像を撮像し（Ｓ１，Ｓ２）、表示用縮小画像作成手段により圧縮前主画像をリサイズして表示用縮小画像を作成し（Ｓ３，Ｓ４，Ｓ５）、最適圧縮パラメータ予測手段により、表示用縮小画像作成手段で作成されたデータに基づいて、圧縮前主画像を目標サイズ近傍に圧縮するための最適圧縮パラメータを予測し（Ｓ６）、最適圧縮パラメータに基づいて最適圧縮率を求め（Ｓ７）、主画像作成手段により、最適圧縮率に基づいて、圧縮前主画像を固定長に圧縮する（Ｓ８）。【選択図】      図４
2005072989.tif 000002
【特許請求の範囲】
【請求項１】
画像を撮像する撮像手段と、
前記撮像手段により撮像された圧縮前主画像を固定長に圧縮して主画像を作成する主画像作成手段と、
前記圧縮前主画像をリサイズして表示用縮小画像を作成する表示用縮小画像作成手段とを備えた撮像装置において、
前記表示用縮小画像作成手段で作成されたデータに基づいて前記圧縮前主画像を目標サイズ近傍に圧縮するための最適圧縮パラメータを予測する最適圧縮パラメータ予測手段と、
前記最適圧縮パラメータに基づいて最適圧縮率を求め、前記最適圧縮率で前記圧縮前主画像を固定長に圧縮する圧縮手段とを備えたことを特徴とする撮像装置。
【請求項２】
前記最適圧縮パラメータは、前記圧縮前主画像を前記表示用縮小画像に圧縮するための圧縮パラメータと、前記圧縮パラメータで圧縮された圧縮サイズとを含むことを特徴とする請求項１記載の撮像装置。
【請求項３】
前記最適圧縮パラメータ予測手段は、前記圧縮前主画像を同一の所定圧縮パラメータで圧縮した場合の相関関係を予め数学モデルで表現しておき、前記所定圧縮パラメータで圧縮したときの圧縮結果を前記数学モデルに入力することで前記圧縮前主画像を前記所定圧縮パラメータで圧縮したときの圧縮結果を予測することを特徴とする請求項１または２記載の撮像装置。
【請求項４】
前記最適圧縮パラメータ予測手段は、撮像指令前の画像あるいは撮像直後の前記圧縮前主画像から取得したデータと、前記表示用縮小画像作成手段で作成されるデータの両方を利用することを特徴とする請求項１または２記載の撮像装置。
【請求項５】
前記最適圧縮パラメータ予測手段は、撮像指令前の画像あるいは撮像直後の前記圧縮前主画像から抽出する高周波成分と、前記表示用縮小画像作成手段で作成されるデータの両方を利用することを特徴とする請求項４記載の撮像装置。
【請求項６】
前記最適圧縮パラメータ予測手段は、前記撮像指令前の画像あるいは撮像直後の前記圧縮前主画像から抽出された高周波成分と前記表示用縮小画像の圧縮結果を入力とし、前記画像の圧縮結果を出力とする数学モデルを予め作成しておき、撮影時には前記高周波成分と前記圧縮結果を前記数学モデルに入力することで前記画像の圧縮結果を予測することを特徴とする請求項５記載の撮像装置。
【請求項７】
前記最適圧縮パラメータは、前記圧縮前主画像を前記表示用縮小画像にリサイズする際に副産された中間サイズの画像を圧縮することにより得たデータを含むことを特徴とする請求項１〜６のいずれかに記載の撮像装置。
【請求項８】
前記最適圧縮パラメータに基づいて圧縮された圧縮画像のサイズが目標サイズ近傍にあるか判別する判別手段と、前記判別手段の結果に応じて前記圧縮パラメータを補正する補正手段とを備えたことを特徴とする請求項１〜７のいずれかに記載の撮像装置。
【請求項９】
画像を撮像する撮像手順と、
前記撮像手順により撮像された圧縮前主画像を固定長に圧縮して主画像を作成する主画像作成手順と、
前記圧縮前主画像をリサイズして表示用縮小画像を作成する表示用縮小画像作成手順とを備えた撮像方法において、
前記表示用縮小画像作成手順で作成されたデータに基づいて前記圧縮前主画像を目標サイズ近傍に圧縮するための最適圧縮パラメータを予測する最適圧縮パラメータ予測手順と、前記最適圧縮パラメータに基づいて最適圧縮率を求め、前記最適圧縮率で前記圧縮前主画像を固定長に圧縮する圧縮手順とを含むことを特徴とする撮像方法。
【請求項１０】
前記最適圧縮パラメータは、前記圧縮前主画像を前記表示用縮小画像に圧縮するための圧縮パラメータと、前記圧縮パラメータで圧縮された圧縮サイズとを含むことを特徴とする請求項９記載の撮像方法。
【請求項１１】
前記最適圧縮パラメータ予測手順は、前記圧縮前主画像を同一の所定圧縮パラメータで圧縮した場合の相関関係を予め数学モデルで表現しておき、前記所定圧縮パラメータで圧縮したときの圧縮結果を前記数学モデルに入力することで前記圧縮前主画像を前記所定圧縮パラメータで圧縮したときの圧縮結果を予測することを特徴とする請求項９または１０記載の撮像方法。
【請求項１２】
前記最適圧縮パラメータ予測手順は、撮像指令前の画像あるいは撮像直後の前記圧縮前主画像から取得したデータと、前記表示用縮小画像作成手順で作成されるデータの両方を利用することを特徴とする請求項１０または１１記載の撮像方法。
【請求項１３】
前記最適圧縮パラメータ予測手順は、撮像指令前の画像あるいは撮像直後の前記圧縮前画像から抽出する高周波成分と、前記表示用縮小画像作成手順で作成されるデータの両方を利用することを特徴とする請求項１２記載の撮像方法。
【請求項１４】
前記最適圧縮パラメータ予測手順は、前記撮像指令前の画像あるいは撮像直後の前記圧縮前主画像から抽出された高周波成分と前記表示用縮小画像の圧縮結果を入力とし、前記画像の圧縮結果を出力とする数学モデルを予め作成しておき、撮影時には前記高周波成分と前記圧縮結果を前記数学モデルに入力することで前記画像の圧縮結果を予測することを特徴とする請求項１３記載の撮像方法。
【請求項１５】
前記最適圧縮パラメータは、前記圧縮前主画像を前記表示用縮小画像にリサイズする際に副産された中間サイズの画像を圧縮することにより得たデータを含むことを特徴とする請求項９〜１４のいずれかに記載の撮像方法。
【請求項１６】
前記最適圧縮パラメータに基づいて圧縮された圧縮画像のサイズが目標サイズ近傍にあるか判別する判別手順と、前記判別手順の結果に応じて前記圧縮パラメータを補正する補正手順とを含むことを特徴とする請求項９〜１５のいずれかに記載の撮像方法。
【発明の詳細な説明】
【技術分野】
【０００１】
本発明は、固定長圧縮を行う撮像装置および撮像方法に関し、特に、主画像の固定長圧縮の工程を減少させた撮像装置および撮像方法に関する。
【背景技術】
【０００２】
デジタルカメラなどの画像処理装置での静止画圧縮形式として、ＪＰＥＧ（Ｊｏｉｎｔ Ｐｈｏｔｏｇｒａｐｈｉｃ Ｅｘｐｅｒｔｓ Ｇｒｏｕｐ）が標準的に採用されている。デジタルカメラなどの記録容量に制限がある画像符号化装置では、残り何枚記録できるかを使用者に明示するために、画像一枚あたりのサイズを固定長にしたいという要求があり、このため、可変長符号化方式であるＪＰＥＧ形式で固定長符号化を行うのが一般的になっている。一方、デジタルカメラなどで画像を作成する時には、主画像とともにファイルの中身を簡単に識別するための表示用縮小画像を作ることが一般的になっており、主画像と表示用縮小画像は、同一データから生成されるのが普通である。
上述した従来の固定長圧縮を行う撮像装置として、本出願人が提案した特開平9−２９４２６５号公報記載の画像処理方法および画像処理装置がある。この装置は、離散コサイン変換係数を用いて画像データを周波数変換係数に変換し、変換された周波数変換係数の量子化の重み付けを示す量子化係数を用いて量子化し、量子化されたデータを符号化し、符号化手段による量子化されたデータの符号化処理の実行中において予め定められた所定時間間隔ごとに符号化されたデータの符号量を検出し、検出された符号量に基づいて符号化処理の実行中において量子化係数を変更するものである。
【０００３】
【特許文献１】特開平９−２９４２６５号公報
【発明の開示】
【発明が解決しようとする課題】
【０００４】
しかしながら、上記発明では、固定長にかかる時間の短縮方法が表示用縮小画像の作成場面とは切り離されて考えられ、画像のサイズは、画像の内容に依存し圧縮してみないと分からない。従って、圧縮してみて目標サイズに収まらない場合は圧縮率を代える必要があった。
本発明は、上述した事情を鑑みてなされたものであり、表示用縮小画像の作成時のデータを活用することで固定長にかかる時間が短縮された、少なくとも画像もしくは映像を撮像し固定長に圧縮する手段を有した撮像装置および撮像方法を提供することを目的としている。
【課題を解決するための手段】
【０００５】
上記課題を解決するために、請求項１記載の撮像装置は、画像を撮像する撮像手段と、上記撮像手段により撮像された圧縮前主画像を固定長に圧縮して主画像を作成する主画像作成手段と、上記圧縮前主画像をリサイズして表示用縮小画像を作成する表示用縮小画像作成手段とを備えた撮像装置において、上記表示用縮小画像作成手段で作成されたデータに基づいて、上記圧縮前主画像を目標サイズ近傍に圧縮するための最適圧縮パラメータを予測する最適圧縮パラメータ予測手段と、上記最適圧縮パラメータに基づいて最適圧縮率を求め、上記最適圧縮率で上記圧縮前主画像を固定長に圧縮する圧縮手段とを備えたことを特徴としている。
また、請求項２記載の発明は、請求項１記載の撮像装置に係り、上記最適圧縮パラメータは、上記圧縮前主画像を上記表示用縮小画像に圧縮するための圧縮パラメータと、上記圧縮パラメータで圧縮された圧縮サイズとを含むことを特徴としている。
【０００６】
また、請求項３記載の発明は、請求項１または２記載の撮像装置に係り、上記最適圧縮パラメータ予測手段は、上記圧縮前主画像を同一の所定圧縮パラメータで圧縮した場合の相関関係を予め数学モデルで表現しておき、上記所定圧縮パラメータで圧縮したときの圧縮結果を上記数学モデルに入力することで上記圧縮前主画像を上記所定圧縮パラメータで圧縮したときの圧縮結果を予測することを特徴としている。
また、請求項４記載の発明は、請求項１または２記載の撮像装置に係り、上記最適圧縮パラメータ予測手段は、撮像指令前の画像あるいは撮像直後の上記圧縮前主画像から取得したデータと、上記表示用縮小画像作成手段で作成されるデータの両方を利用することを特徴としている。
また、請求項５記載の発明は、請求項４記載の撮像装置に係り、上記最適圧縮パラメータ予測手段は、撮像指令前の画像あるいは撮像直後の上記圧縮前主画像から抽出する高周波成分と、上記表示用縮小画像作成手段で作成されるデータの両方を利用することを特徴としている。
【０００７】
また、請求項６記載の発明は、請求項５記載の撮像装置に係り、上記最適圧縮パラメータ予測手段は、上記撮像指令前の画像あるいは撮像直後の上記圧縮前主画像から抽出された高周波成分と上記表示用縮小画像の圧縮結果を入力とし、上記画像の圧縮結果を出力とする数学モデルを予め作成しておき、撮影時には上記高周波成分と上記圧縮結果を上記数学モデルに入力することで上記画像の圧縮結果を予測することを特徴としている。
また、請求項７記載の発明は、請求項１〜６のいずれかに記載の撮像装置に係り、上記最適圧縮パラメータは、上記圧縮前主画像を上記表示用縮小画像にリサイズする際に副産された中間サイズの画像を圧縮することにより得たデータを含むことを特徴としている。
また、請求項８記載の発明は、請求項１〜７のいずれかに記載の撮像装置に係り、上記最適圧縮パラメータに基づいて圧縮された圧縮画像のサイズが目標サイズ近傍にあるか判別する判別手段と、上記判別手段の結果に応じて上記圧縮パラメータを補正する補正手段とを備えたことを特徴としている。
【０００８】
また、請求項９記載の撮像方法は、画像を撮像する撮像手順と、上記撮像手順により撮像された圧縮前主画像を固定長に圧縮して主画像を作成する主画像作成手順と、上記圧縮前主画像をリサイズして表示用縮小画像を作成する表示用縮小画像作成手順とを備えた撮像方法において、上記表示用縮小画像作成手順で作成されたデータに基づいて、上記圧縮前主画像を目標サイズ近傍に圧縮するための最適圧縮パラメータを予測する最適圧縮パラメータ予測手順と、上記最適圧縮パラメータに基づいて最適圧縮率を求め、上記最適圧縮率で上記圧縮前主画像を固定長に圧縮する圧縮手順とを含むことを特徴としている。
また、請求項１０記載の発明は、請求項９記載の撮像方法に係り、上記最適圧縮パラメータは、上記圧縮前主画像を上記表示用縮小画像に圧縮するための圧縮パラメータと、上記圧縮パラメータで圧縮された圧縮サイズとを含むことを特徴としている。
また、請求項１１記載の発明は、請求項９または１０記載の撮像方法に係り、上記最適圧縮パラメータ予測手順は、上記圧縮前主画像を同一の所定圧縮パラメータで圧縮した場合の相関関係を予め数学モデルで表現しておき、上記所定圧縮パラメータで圧縮したときの圧縮結果を上記数学モデルに入力することで上記圧縮前主画像を上記所定圧縮パラメータで圧縮したときの圧縮結果を予測することを特徴としている。
【０００９】
また、請求項１２記載の発明は、請求項１０または１１記載の撮像方法に係り、上記最適圧縮パラメータ予測手順は、撮像指令前の画像あるいは撮像直後の上記圧縮前主画像から取得したデータと、上記表示用縮小画像作成手順で作成されるデータの両方を利用することを特徴としている。
また、請求項１３記載の発明は、請求項１２記載の撮像方法に係り、上記最適圧縮パラメータ予測手順は、撮像指令前の画像あるいは撮像直後の上記圧縮前主画像から抽出する高周波成分と、上記表示用縮小画像作成手順で作成されるデータの両方を利用することを特徴としている。
また、請求項１４記載の発明は、請求項１３記載の撮像方法に係り、上記最適圧縮パラメータ予測手順は、上記撮像指令前の画像あるいは撮像直後の上記圧縮前主画像から抽出された高周波成分と上記表示用縮小画像の圧縮結果を入力とし、上記画像の圧縮結果を出力とする数学モデルを予め作成しておき、撮影時には上記高周波成分と上記圧縮結果を上記数学モデルに入力することで上記画像の圧縮結果を予測することを特徴としている。
【００１０】
また、請求項１５記載の発明は、請求項９〜１４のいずれかに記載の撮像方法に係り、上記最適圧縮パラメータは、上記圧縮前主画像を上記表示用縮小画像にリサイズする際に副産された中間サイズの画像を圧縮することにより得たデータを含むことを特徴としている。
また、請求項１６記載の発明は、請求項９〜１５のいずれかに記載の撮像方法に係り、上記最適圧縮パラメータに基づいて圧縮された圧縮画像のサイズが目標サイズ近傍にあるか判別する判別手順と、上記判別手順の結果に応じて上記圧縮パラメータを補正する補正手順とを含むことを特徴としている。
【発明の効果】
【００１１】
以上述べたように、本発明の構成によれば、主画像の固定長化にかかる時間が短縮され、圧縮の工程を減少することができる。すなわち、本発明の請求項１の撮像装置によれば、表示用縮小画像（サムネイル）を作成し、このサムネイルの圧縮効果を利用して、最適圧縮パラメータを予測し、これに基づいて主画像を作成するため、繰り返して圧縮する必要がなく、主画像の固定長化にかかる時間を大幅に短縮することが可能になる。
また、本発明の請求項２の撮像装置によれば、最適圧縮パラメータとして、圧縮前主画像を表示用縮小画像に圧縮する際の圧縮パラメータと、圧縮サイズそのものを利用するため、より的確に最適圧縮パラメータを予測することが可能になる。
また、本発明の請求項３の撮像装置によれば、より具体的に数学モデルを利用して、この数学モデルに圧縮効果を入力するだけで、最適圧縮パラメータを予測することができ、より簡潔に最適圧縮パラメータを予測することが可能になる。
撮像指令前の画像あるいは撮像直後の圧縮前主画像のデータと、表示用縮小画像を作成したときのデータとを利用するため、より精度の高い最適圧縮パラメータを予測することが可能になる。
【００１２】
また、本発明の請求項５の撮像装置によれば、上記データとして、撮像指令前の画像あるいは撮像直後の圧縮前主画像から抽出する高周波成分と、表示用縮小画像作成手段で作成したときのデータとを利用するため、さらに精度の高い最適圧縮パラメータを予測することが可能になる。
また、本発明の請求項６の撮像装置によれば、撮像指令前あるいは撮像直後の圧縮前主画像から抽出する高周波成分と、表示用縮小画像を作成したときのデータとを、より具体的に数学モデルを利用して、この数学モデルに圧縮結果を入力するだけで、最適圧縮パラメータを予測することができ、より簡潔かつ精度の高い最適圧縮パラメータを予測することが可能になる。
また、本発明の請求項７の撮像装置によれば、表示用圧縮画像を作成する途中の中間画像を利用するため、主画像の固定長化にかかる時間をさらに短縮することが可能になる。
また、本発明の請求項８の撮像装置によれば、最適圧縮パラメータに基づいて圧縮された圧縮画像のサイズが目標サイズ近傍にあるか否かを判別する判別手段と、最適圧縮パラメータを補正する補正手段とを備えているため、再度試行でき、より完全な撮像装置を提供することが可能となる。
【００１３】
また、本発明の請求項９の撮像方法によれば、表示用縮小画像（サムネイル）を作成し、このサムネイルの圧縮結果を利用して、最適圧縮パラメータを予測し、これに基づいて主画像を作成するため、繰り返して圧縮する必要がなく、主画像の固定長化にかかる時間を大幅に短縮することが可能になる。
また、本発明の請求項１０の撮像方法によれば、最適圧縮パラメータとして、圧縮前主画像を前記表示用縮小画像に圧縮する際の圧縮パラメータと、圧縮サイズそのものを利用するため、より的確に最適圧縮パラメータを予測することが可能になる。
また、本発明の請求項１１の撮像方法によれば、より具体的に数学モデルを利用して、この数学モデルに圧縮結果を入力するだけで、最適圧縮パラメータを予測することができ、より簡潔に最適圧縮パラメータを予測することが可能になる。
また、本発明の請求項１２の撮像方法によれば、撮像指令前の画像あるいは撮像直後の圧縮前主画像データと、表示用縮小画像を作成したときのデータとを利用するため、より精度の高い最適圧縮パラメータを予測することが可能になる。
また、本発明の請求項１３の撮像方法によれば、上記データとして、撮像指令前あるいは撮像直後の圧縮前画像から抽出する高周波成分と、表示用縮小画像を作成したときのデータとを利用するため、さらに精度の高い最適圧縮パラメータを予測することが可能になる。
【００１４】
また、本発明の請求項１４の撮像方法によれば、撮像指令前あるいは撮像直後の圧縮前主画像から抽出する高周波成分と、表示用縮小画像を作成したときのデータとを、より具体的に数学モデルを利用して、この数学モデルに圧縮結果を入力するだけで、最適圧縮パラメータを予測することができ、より簡潔に最適圧縮パラメータを予測することが可能になる。
また、本発明の請求項１５の撮像方法によれば、表示用圧縮画像を作成する途中の中間画像を利用するため、主画像の固定長化にかかる時間をさらに短縮することが可能になる。
また、本発明の請求項１６の撮像方法によれば、最適圧縮パラメータに基づいて圧縮された圧縮画像のサイズが目標サイズ近傍にあるか否かを判別する判別手段と、最適圧縮パラメータを補正する補正手段とを備えているため、再度試行でき、より完全な撮像装置を提供することが可能となる。
【発明を実施するための最良の形態】
【００１５】
以下、図面を参照して、本発明の実施の形態について詳細に説明する。ここでは、本発明の撮像装置をデジタルカメラに適用した場合の例として説明する。
まず、図１，図２を参照して、本発明の撮像装置の実施の形態１を適用したデジタルカメラの構成について説明する。図１（ａ）、図１（ｂ）、図１（ｃ）は、本発明の撮像装置の実施の形態１を適用したデジタルカメラの構成をそれぞれ示す外観図であり、このうち、図１（ａ）は平面図、図１（ｂ）は、正面図、図１（ｃ）は背面図である。また、図２は、本発明の撮像装置の実施の形態１を適用したデジタルカメラの構成を示すブロック図である。
図１に示すように、デジタルカメラ上面は、サブＬＣＤ１，シャッタレリーズＳＷ１，モードダイアルＳＷ２で構成され、デジタルカメラ正面は、ＳＤカード／電池蓋２，ストロボ発光部３，光学ファインダ４，測距ユニット５，リモコン受光部６，鏡胴ユニット７で構成され、デジタルカメラ背面は、ＡＦ  ＬＥＤ８，光学ファインダ４，ストロボＬＥＤ９，ＬＣＤモニタ１０，スイッチＳＷ１〜ＳＷ１３より構成されている。スイッチＳＳＷ１はシャッタレリーズ、ＳＷ２はモードダイアル、ＳＷ３はＺＯＯＭスイッチ（ＷＩＤＥ）、ＳＷ４はＺＯＯＭスイッチ（ＴＥＬＥ）、ＳＷ５はセルフタイマ／削除スイッチ、ＳＷ６はＭＥＮＵスイッチ、ＳＷ７は上／ストロボスイッチ、ＳＷ８は右スイッチ、ＳＷ９はＤＩＳＰＬＡＹスイッチ、ＳＷ１０は下／マクロスイッチ、ＳＷ１１左／画像確認スイッチ、ＳＷ１２はＯＫスイッチ、ＳＷ１３は電源スイッチである。
【００１６】
次に、図２を参照して、デジタルカメラの各部の構成について説明する。
鏡胴ユニット７は、被写体の光学画像を取り込むズームレンズ７１ａ，ズーム駆動モータ７１ｂからなるズーム光学系７１と、フォーカスレンズ７２ａ，フォーカス駆動モータ７２ｂからなるフォーカス光学系７２と、絞り７３ａ，絞りモータ７３ｂからなる絞りユニット７３と、メカシャッタ７４ａ，メカシャッタモータ７４ｂからなるメカシャッタユニット７４と、各モータを駆動するモータドライバ７５とを有する。
モータドライバ７５は、リモコン受光部６の入力や操作ＫｅｙユニットＳＷ１〜ＳＷ１３の操作入力に基づく、後述するデジタルスチルカメラプロセッサ１０４内にあるＣＰＵブロック（Ｃｅｎｔｒａｌ  Ｐｒｏｃｅｓｓｉｎｇ  Ｕｎｉｔ：中央演算処理部）１０４３からの駆動指令により駆動制御される。
ＲＯＭ１０８には、ＣＰＵブロック１０４３にて解読可能なコードで記述された制御プログラムや制御するためのパラメータが格納されている。このデジタルカメラの電源がオン状態になると、ＲＯＭ８に格納された制御プログラムは、メインメモリ（図示せず）にロードされ、ＣＰＵブロック１０４３は、そのプログラムに従って、装置各部の動作を制御するとともに、制御に必要なデータ等を、一時的に、ＲＡＭ１０７および後述するデジタルスチルカメラプロセッサ１０４内にあるＬｏｃａｌ ＳＲＡＭ１０４４に保存する。ＲＯＭ１０８に書き換え可能なフラッシュＲＯＭを使用することで、制御プログラムや制御するためのパラメータを変更することが可能になり、機能のＶｅｒｓｉｏｎ・Ｕｐが容易に行える。
【００１７】
ＣＣＤ（Ｃｈａｒｇｅ  Ｃｏｕｐｌｅｄ  Ｄｅｖｉｃｅ：電化結合素子）１０１は、光学画像を光電変換するための固体撮像素子であり、Ｆ／Ｅ（フロントエンド）−ＩＣ１０２は、画像ノイズ除去用相関二重サンプリングを行うＣＤＳ（Ｃｏｒｒｅｒａｔｅｄ  Ｄｏｕｂｌｅ  Ｓａｍｐｌｉｎｇ：相関二重サンプリング）１０２１、利得調整を行うＡＧＣ（Ａｕｔｏｍａｔｉｃ Ｇａｉｎ Ｃｏｎｔｒｏｌ）１０２２、デジタル信号変換を行うＡ／Ｄ（Ａｎａｌｏｇｕｅ／Ｄｉｇｉｔａｌ）１０２３、駆動タイミング信号を発生するＴＧ１０２４を有する。ＴＧ１０２４は、ＣＣＤ１制御ブロック１０４１より、垂直同期信号（以下、ＶＤと記す。）、水平同期信号（以下、ＨＤと記す。）を供給され、ＣＰＵブロック１０４３によって制御されるＣＣＤ１０１およびＦ／Ｅ−ＩＣ１０２の駆動タイミング信号を発生する。
デジタルスチルカメラプロセッサ１０４は、ＣＣＤ１０１よりＦ／Ｅ−ＩＣ１０２の出力データにホワイトバランス設定やガンマ設定を行い、また、前述したように、ＶＤ信号、ＨＤ信号を供給するＣＣＤ１制御ブロック１０４１、フィルタリング処理により輝度データ・色差データへの変換を行うＣＣＤ２制御ブロック１０４２、前述した装置各部の動作を制御するＣＰＵブロック１０４３、前述した制御に必要なデータ等を、一時的に保存するＬｏｃａｌ ＳＲＡＭ１０４４、パソコン等の外部機器とＵＳＢ通信を行うＵＳＢブロック１０４５、パソコン等の外部機器とシリアル通信を行うシリアルブロック１０４６、ＪＰＥＧ（Ｊｏｉｎｔ Ｐｈｏｔｏｇｒａｐｈｉｃ Ｅｘｐｅｒｔｓ Ｇｒｏｕｐ）圧縮・伸縮を行うＪＰＥＧ  ＣＯＤＥＣブロック１０４７、画像データのサイズを補間処理により拡大／縮小するＲＥＳＩＺＥブロック１０４８、画像データを液晶モニタやＴＶ等の外部表示機器に表示するためのビデオ信号に変換するＴＶ信号表示ブロック１０４９、撮影された画像データを記録するメモリカード１２１２の制御を行うメモリカードコントローラブロック１０４１０を有する。
【００１８】
ＳＤＲＡＭ１０３は、前述したデジタルスチルカメラプロセッサ１０４で画像データに各種処理を施す際に、画像データを一時的に保存する。保存される画像データは、例えば、ＣＣＤ１０１から、Ｆ／Ｅ−ＩＣ１０２を経由して取り込んで、ＣＣＤ１信号処理ブロック１０４１でホワイトバランス設定、ガンマ設定が行われた状態の「ＲＡＷ−ＲＧＢ画像データ」やＣＣＤ２制御ブロック１０４２で輝度データ・色差データ変換が行われた状態の「ＹＵＶ画像データ」、ＪＰＥＧ  ＣＯＤＥＣブロック１０４７で、ＪＰＥＧ圧縮された「ＪＰＥＧ画像データ」などである。
メモリカードスロットル１２１は、着脱可能なメモリカード１２１２を装着するためのスロットルである。内蔵メモリ１２０は、前述したメモリカードスロットル１２１にメモリカードが装着されていない場合でも、撮像した画像データを記憶できるようにするためのメモリである。
ＬＣＤドライバ１１７は、後述するＬＣＤモニタ１０を駆動するドライブ回路であり、ＴＶ信号表示ブロック１０４９から出力されたビデオ信号を、ＬＣＤモニタ１０に表示するための信号に変換する機能も有している。  ＬＣＤモニタ１０は、撮影前に被写体の状態を監視したり、撮影した画像を確認したり、メモリカードや前述した内蔵メモリ１２０に記録した画像データを表示したりするためのモニタである。
ビデオＡＭＰ１１８は、ＴＶ信号表示ブロック１０４９から出力されたビデオ信号を、７５Ωインピーダンス変換するためのアンプであり、ビデオジャック１１９は、ＴＶなどの外部表示機器と接続するためのジャックである。
【００１９】
ＵＳＢコネクタ１２２は、パソコンなどの外部機器とＵＳＢ接続を行うためのコネクタである。シリアルドライバ回路１２３１は、パソコンなどの外部機器とシリアル通信を行うために、前述したシリアルブロック１０４６の出力信号を電圧変換するための回路であり、ＲＳ−２３２Ｃコネクタ１２３２は、パソコンなどの外部機器とシリアル接続を行うためのコネクタである。
ＳＵＢ−ＣＰＵ１０９は、ＲＯＭ・ＲＡＭをワンチップに内蔵したＣＰＵであり、操作ＫｅｙユニットＳＷ１〜１３やリモコン受光部６の出力信号をユーザの操作情報として、前述したＣＰＵブロック１０４３に出力したり、前述したＣＰＵブロック１０４３より出力されるカメラの状態を、後述するサブＬＣＤ１、ＡＦ  ＬＥＤ８、ストロボＬＥＤ９、ブザー１１３の制御信号に変換して、出力する。
サブＬＣＤ１は、例えば、撮影可能枚数などを表示するための表示部であり、ＬＣＤドライバ１１１は、前述したＳＵＢ−ＣＰＵ１０９の出力信号より、前述したサブＬＣＤ１を駆動するためのドライブ回路である。
ＡＦ  ＬＥＤ８は、撮影時の合焦状態を表示するためのＬＥＤであり、ストロボＬＥＤ９は、ストロボの充電状態を表すためのＬＥＤであり、充電が完了すると点灯する。尚、このＡＦ  ＬＥＤ８とストロボＬＥＤ９を、メモリアクセス中などの別の表示用途に使用しても良い。
【００２０】
操作ＫｅｙユニットＳＷ１〜１３は、ユーザが操作するＫｅｙ回路であり、リモコン受光部６は、ユーザが操作したリモコン送信機の信号の受信部である。
音声記録ユニット１１５は、ユーザが音声信号を入力するマイク１１５３、入力された音声信号を増幅するマイクＡＭＰ１１５２、増幅された音声信号を記録する音声記録回路１１５３からなる。また、音声再生ユニット１１６は、記録された音声信号をスピーカから出力できる信号に変換する音声再生回路１１６１、変換された音声信号を増幅し、スピーカを駆動するためのオーディオＡＭＰ１１６２、音声信号を出力するスピーカ１１６３からなる。
次に、図３を参照して、本発明の撮像装置の実施の形態１における圧縮の動作について説明する。図３は、本発明の撮像装置の圧縮の手順を説明する概略図であり、シャッタボタン押下後（シャッタレリーズスイッチＳＷ１のＯＮ後）の撮像シーケンスを示している。
【００２１】
まず、シャッタボタン押下後、ＣＣＤ１０１によりＲＧＢ（Ｒｅｄ・Ｇｒｅｅｎ・Ｂｌｕｅ）画像が取り込まれ、ＣＣＤ１０１からＦＥ−ＩＣ１０２を経由して、ＣＣＤ１信号処理ブロック１０４１でホワイトバランス設定，ガンマ設定が行われた状態のＲＧＢ画像データを、ＣＣＤ２信号処理ブロック１０４２で低解像度のＹＵＶ（輝度・色差信号）画像データに変換する。このＹＵＶ画像が、図３に示す主画像用ＹＵＶ画像に相当する。この主画像用ＹＵＶ画像を元にサムネイルと主画像が作成される。サムネイルは、ＲＥＳＩＳＥブロック１０４８で主画像用ＹＵＶ画像をリサイズしたり間引くことにより、縮小されたサムネイル用ＹＵＶ画像を作成し、これをＪＰＥＧ  ＣＯＤＥＣブロック１０４７で圧縮することで作成される。作成過程によっては、縮小途中のサイズの画像が副産されることもある。この一例として、図３に、リサイズ途中のサムネイル用ＹＵＶ画像とリサイズ後のサムネイル画像を示している。主画像の作成方法は、まず、主画像用ＹＵＶ画像をリサイズして予め指定された画素数に変更し、このリサイズ後主画像用ＹＵＶ画像を最適な圧縮率で圧縮することで作成される。
【００２２】
図４は、本発明の撮像装置の実施の形態１の動作を示すフローチャートである。
同図に示すように、まず、シャッタボタンを押下し（Ｓ１）、ＺＯＯＭレンズ７１ａ、ＦＯＣＵＳレンズ７２ａで結像された画像をＣＣＤ１０１によりＲＧＢ画像として取り込む（Ｓ２）。次に、得られたＲＧＢ画像データを主画像用ＹＵＶ画像データに変換する（Ｓ３）。この主画像用ＹＵＶ画像をリサイズしたり間引くことにより、縮小されたサムネイル用ＹＵＶ画像を作成する（Ｓ４）。このサムネイル用ＹＵＶ画像を圧縮してサムネイルを作成する（Ｓ５）。最適な圧縮率を短時間で求めるために、本発明では、サムネイル作成時で発生したデータを流用する。すなわち、サムネイル用ＹＵＶ画像の圧縮後のサイズから主画像用ＹＵＶ画像の圧縮後のサイズを予測し（Ｓ６）、次に、圧縮サイズを目標サイズに収めるための圧縮率を求め（Ｓ７）、求めた圧縮率により主画像を作成する（Ｓ８）。
【００２３】
図５は、本発明の撮像装置の実施の形態１における主画像の圧縮率を求める方法を示すグラフである。このグラフは、上述したサムネイル作成時のデータを使って主画像の圧縮率を求める一例を示すものであり、サムネイル用ＹＵＶ画像と主画像用ＹＵＶ画像を同一の圧縮率（この圧縮率をＴ０とする）で圧縮したときの相関関係を示している。本実施の形態では、この相関関係が直線である場合を想定して説明する。
まず、サムネイル用ＹＵＶ画像の圧縮後のサイズをｘ、主画像用ＹＵＶ画像の圧縮後のサイズをｙとすると、ｘ，ｙの関係は、係数ａ，ｂを用いて
ｙ＝ａ＊ｘ＋ｂ              （式１）
と表現できる。この式は、複数の画像に対して圧縮率Ｔ０にて圧縮し、多数の（ｘ，ｙ）の組を求め、係数ａ，ｂ最小二乗法などで求めることにより特定される。
撮影時には、主画像より先にサムネイルを作成することとし、サムネイルの圧縮時には、所定の圧縮率Ｔ０で圧縮を行う。圧縮率Ｔ０でのサムネイル用ＹＵＶ画像の圧縮後のサイズをｘ１とし、式１に代入すれば、主画像用ＹＵＶ画像を圧縮率Ｔ０で圧縮したときのサイズｙ１が求まる。圧縮率Ｔ０で主画像を圧縮したときの圧縮サイズが予測されたので、（Ｔ０，ｙ１）から補正を行い、圧縮サイズを目標サイズに収めるための圧縮率Ｔ１を求める。
【００２４】
次に、本発明の撮像装置の実施の形態２について説明する。
図６，図７は、本発明の撮像装置の実施の形態２における主画像の圧縮率を求める方法を示すグラフである。図６は、高周波成分と式１のｙ切片との関係を示し、図７は、式１のｂに傾斜をかけて精度を上げる方法を示している。本実施の形態では、式１の作り方に関して、上記の相関関係に撮影直前の画像の高周波成分を付加している。例えば、外部センサからあるいは撮影直前に取り込んだ画像のＡＦ評価値から高周波成分の数値を測定し、図６に示すように、高周波成分が最低レベルでのｙ切片をｂｌとし、高周波成分が最高レベルの時のｙ切片をｂｈとしている。高周波成分の数値とｙ切片を比例関係において、高周波成分の数値からｙ切片が求まるようにする。すなわち、図７に示すように、ｙ＝ａ＊ｘ＋ｂ，ｙ＝ａ＊ｘ＋ｂｈ，ｙ＝ａ＊ｘ＋ｂｌのようにｂに傾斜をかけ、式１の精度を上げ、より精度が高い予測を可能とする。高周波の数値の求め方として撮影画像そのものを高周波のみが有効になる圧縮テーブルでもって圧縮し、圧縮サイズの大きさと関連づけても良い。
【００２５】
このようにして、図４に示す実施の形態１と同様の方法で、主画像を作成する。すなわち、まず、シャッタボタンを押下し（Ｓ１）、ＣＣＤ１０１からＲＧ画像を取り込む（Ｓ２）。次に、得られたＲＧＢ画像データを主画像用ＹＵＶ画像データに変換する（Ｓ３）。この主画像用ＹＵＶ画像をリサイズしたり間引くことにより、縮小されたサムネイル用ＹＵＶ画像を作成する（Ｓ４）。このサムネイル用ＹＵＶ画像を圧縮してサムネイルを作成する（Ｓ５）。次に、サムネイル用ＹＵＶ画像の圧縮後のサイズと、高周波成分の数値から求めたｙ切片から主画像用ＹＵＶ画像の圧縮後のサイズを予測する（Ｓ６）。次に、圧縮サイズを目標サイズに収めるための圧縮率を求め（Ｓ７）、求めた圧縮率により主画像を作成する（Ｓ８）。
次に、本発明の撮像装置の実施の形態３について説明する。
図８は、本発明の撮像装置の実施の形態３の動作を示すフローチャートである。
上述した実施の形態１では、圧縮率を求めるために流用したデータは、サムネイルの作成結果を利用したものであったが、本実施の形態では、サムネイル作成途中に副産されたものを利用している。すなわち、サムネイルへリサイズされる途中でＶＧＡサイズの画像（図３に示すリサイズ途中サムネイル用ＹＵＶ画像に相当）が作られた場合、このＶＧＡ画像を圧縮率Ｔ０で圧縮して圧縮サイズを求める。この圧縮サイズから主画像を圧縮率Ｔ０で圧縮した時の圧縮サイズを予測する。
【００２６】
すなわち、図８に示すように、まず、シャッタボタンを押下し（Ｓ１１）、ＣＣＤ１０１からＲＧＢ画像を取り込む（Ｓ１２）。次に、得られたＲＧＢ画像データを主画像用ＹＵＶ画像データに変換する（Ｓ１３）。この主画像用ＹＵＶ画像をリサイズする途中に生成されるリサイズ途中サムネイル用ＹＵＶ画像を作成する（Ｓ１４）。このリサイズ途中サムネイル用ＹＵＶ画像の圧縮後のサイズから主画像用ＹＵＶ画像の圧縮後のサイズを予測する（Ｓ１５）。次に、圧縮サイズを目標サイズに収めるための圧縮率を求め（Ｓ１６）、求めた圧縮率により主画像を作成する（Ｓ１７）。
本実施の形態では、実施の形態１とは異なり、圧縮工程そのものは増えるが、画像サイズが大きいので、精度が上がるという効果があり、補正をする回数が減る。
以上、この発明を図面を参照して詳述してきたが、具体的な構成は、この実施の形態に限られるものではなく、この発明の要旨を逸脱しない範囲の設計の変更があってもこの発明に含まれる。
例えば、上述の実施の形態においては、式１を元にして圧縮率を求めたが、その圧縮率で目標サイズ近傍に収まらない場合、さらに補正、圧縮を繰り返しても構わない。
【００２７】
また、上述の実施の形態においては、デジタルスチルカメラを例として挙げたが、このカメラに限定されるものではなく、少なくとも画像もしくは映像を撮像し、表示用縮小画像を作成する手段と、画像を固定長に圧縮する手段を有していればよいため、他の画像の記録手段や表示手段を有していても構わない。さらに、画像の記録手段・表示手段を有していない電子機器にも応用することができる。従って、他のあらゆる電子機器にも適用することができる。
また、上述の実施の形態においては、式１を元にして最適圧縮率を求めたが、式１が直線である必要はなく、数値の入力に対して出力がある数字モデルであれば何でも構わない。
また、上述の実施の形態においては、式１を元にして最適圧縮率を求めたが、種々の事情により再度圧縮したりしてより精度の高い最適圧縮率を求めるため、判別手段を用いて圧縮後の画像を判別したり、補正手段を用いてその画像を補正したりすることもできる。
【図面の簡単な説明】
【００２８】
【図１（ａ）】本発明の実施の形態１に係る撮像装置であるデジタルカメラの外観構成を示す平面図である。
【図１（ｂ）】本発明の実施の形態１に係る撮像装置であるデジタルカメラの外観構成を示す正面図である。
【図１（ｃ）】本発明の実施の形態１に係る撮像装置であるデジタルカメラの外観構成を示す背面図である。
【図２】本発明の実施の形態１に係る撮像装置であるデジタルカメラの各部の構成を示すブロック図である。
【図３】本発明の実施の形態１に係る撮像装置における圧縮の動作を示す概略図である。
【図４】本発明の実施の形態１に係る撮像装置における圧縮の動作を示すフローチャートである。
【図５】本発明の実施の形態１に係る撮像装置における圧縮率を求めるためのグラフである。
【図６】本発明の実施の形態２に係る撮像装置における圧縮率を求めるためのグラフである。
【図７】本発明の実施の形態２に係る撮像装置における圧縮率の精度を挙げる方法を示すグラフである。
【図８】本発明の実施の形態３に係る撮像装置における圧縮の動作を示すフローチャートである。
【符号の説明】
【００２９】
１  サブＬＣＤ
２  ＳＤカード／電池蓋
３  ストロボ発光部
４  光学ファインダ
５  測距ユニット
６  リモコン受光部
７  鏡胴ユニット
８  ＡＦ  ＬＥＤ
９  ストロボＬＥＤ
１０  ＬＣＤモニタ
１０１  ＣＣＤ
１０２  Ｆ／Ｅ−ＩＣ
１０３  ＳＤＲＡＭ
１０４  デジタルスチルカメラプロセッサ
１０７  ＲＡＭ
１０８  ＲＯＭ
１０９  ＳＵＢ−ＣＰＵ
１１１  ＬＣＤドライバ
１１３  ブザー
１１５  音声記録ユニット
１１６  音声再生ユニット
１１７  ＬＣＤドライバ
１１８  ビデオＡＭＰ
１１９  ビデオジャック
１２０  内蔵メモリ
１２１  メモリカードスロットル
１２１２  メモリカード
１２２  ＵＳＢコネクタ
１２３１  シリアルドライバ回路
１２３２  ＲＳ−２３２Ｃコネクタ
ＳＷ１〜ＳＷ１３  操作Ｋｅｙユニット
【図１（ａ）】
2005072989.tif 000003
【図１（ｂ）】
2005072989.tif 000004
【図１（ｃ）】
2005072989.tif 000005
【図２】
2005072989.tif 000006
【図３】
2005072989.tif 000007
【図４】
2005072989.tif 000008
【図５】
2005072989.tif 000009
【図６】
2005072989.tif 000010
【図７】
2005072989.tif 000011
【図８】
2005072989.tif 000012